(57)【要約】【課題】本発明は、ボールペンレフィルの交換が容易で、２色成形によって軸筒の把持部にグリップを装着し易いノック式筆記具を簡単な構造で提供することにある。【解決手段】前軸と後軸とを着脱自在に螺着して軸筒本体を構成し、前記前軸の把持部に、グリップを２色成形にて一体に装着し、前記前軸の内壁に、軸心方向に沿って延びる突起を複数本、形成してなるノック式筆記具であって、前記突起の少なくとも一部が、前記把持部の内壁に位置し、前記突起の後端面が、前記前軸の後端から離間して形成するとともに、前記突起の後端面が、前軸の後端方向に向かって内径が拡径する円弧状及び／又は傾斜状としたことを特徴とする【選択図】図１
2009234181.tif 000002
【特許請求の範囲】
【請求項１】
前軸と後軸とを着脱自在に螺着して軸筒本体を構成し、前記前軸の把持部に、グリップを２色成形にて一体に装着するとともに、前記軸筒本体内に、インキ収容筒の先端に、直接又はチップホルダーを介してボールを回転自在に抱持したボールペンチップを装着したボールペンレフィルを、コイルスプリングにより前軸の後端方向に付勢して摺動自在に配置し、前記ボールペンチップを軸筒本体から出没可能な出没機構を具備し、前記前軸の内壁に、軸心方向に沿って延びる突起を複数本、形成してなるノック式筆記具であって、前記突起の少なくとも一部が、前記把持部の内壁に位置し、前記突起の後端面が、前記前軸の後端から離間して形成するとともに、前記突起の後端面が、前軸の後端方向に向かって内径が拡径する円弧状及び／又は傾斜状としたことを特徴とするノック式筆記具。
【請求項２】
前記前軸の後端から前記突起の後端面までの距離が、前記ボールペンレフィルの先端からボールペンレフィルの重心までの距離よりも長いことを特徴とする請求項１に記載のノック式筆記具。
【請求項３】
前記突起の後端面が、軸心方向において、前記グリップの後端よりも前軸の先端側に位置するとともに、前記グリップを不透明としたことを特徴とする請求項１または２に記載のノック式筆記具。
【請求項４】
前記ボールペンチップが、先端に向かって縮径する先尖形であるとともに、前記突起の後端面が、前記ボールペンチップの縮径を開始する部分に、突起が当接した時に、チップ先端部及びボールが突起に非接触となる、曲率及び／又は傾斜角度であることを特徴とする請求項１ないし３の何れか１項に記載のノック式筆記具。
【請求項５】
前記突起間の間隙が、前記ボールペンチップの外径よりも小さいことを特徴とする請求項１ないし４の何れか１項に記載のノック式筆記具。
【発明の詳細な説明】
【技術分野】
【０００１】
本発明は、軸筒本体内に、インキ収容筒の先端に、直接又はチップホルダーを介してボールを回転自在に抱持したボールペンチップを装着したボールペンレフィルを、コイルスプリングにより軸筒後端方向に付勢して摺動自在に配置し、前記ボールペンチップを軸筒先端開口部から出没可能な出没機構を具備してなるノック式筆記具に関する。
【背景技術】
【０００２】
従来から、軸筒本体内に、インキ収容筒の先端に、直接又はチップホルダーを介してボールを回転自在に抱持したボールペンチップを装着したボールペンレフィルを、コイルスプリングにより軸筒後端方向に付勢して摺動自在に配置し、前記ボールペンチップを軸筒先端開口部から出没可能な出没機構を具備してなるノック式筆記具において、軸筒の把持部に、グリップを２色成形にて一体に装着してなるノック式筆記具はよく知られている。
【０００３】
こうしたノック式筆記具は、ボールペンチップをスムーズに出没させるために、軸筒の先端開口部の内径をボールペンチップの外径よりも大きく形成してある。そのため、ボールペンチップの外径と軸筒の先端開口部の内径とに径差が生じ、筆記時にボールペンチップがガタ付く問題があった。
【０００４】
この筆記時のボールペンチップのガタ付きを鑑みて、特開２０００−４３４７８号公報「出没式筆記具」では、軸筒の内壁に形成した突起によってボールペンチップのガタ付きを防止した筆記具が開示されている。
【特許文献１】特開２０００−４３４７８号公報
【発明の開示】
【発明が解決しようとする課題】
【０００５】
とろこで、前軸と後軸と着脱自在に螺着して軸筒本体を構成してなるノック式筆記具は、前軸と後軸を取り外すことで、軸筒本体内に配設したボールペンレフィルを交換可能としてある。
【０００６】
しかし、特許文献１のように、軸筒の内壁に突起を形成すると、突起を形成した部分の内径が小さくなるために、ボールペンレフィルの交換時に、ボールペンチップが突起に当接して交換性が低下する問題があった。
【０００７】
また、軸筒の把持部にグリップを２色成形にて一体に装着する場合、２次側のグリップを成形する時に、１次側となる軸筒に大きな圧力が加わる。そのため、安定して２次側を成形するには、軸筒の肉厚を厚くする必要があるが、軸筒の肉厚を厚くすると、ヒケが発生する等、あらたな課題が発生する。
【０００８】
本発明の目的は、ボールペンレフィルの交換が容易で、２色成形によって軸筒の把持部にグリップを装着し易いノック式筆記具を簡単な構造で提供することにある。
【課題を解決するための手段】
【０００９】
本発明は、前軸と後軸とを着脱自在に螺着して軸筒本体を構成し、前記前軸の把持部に、グリップを２色成形にて一体に装着するとともに、前記軸筒本体内に、インキ収容筒の先端に、直接又はチップホルダーを介してボールを回転自在に抱持したボールペンチップを装着したボールペンレフィルを、コイルスプリングにより前軸の後端方向に付勢して摺動自在に配置し、前記ボールペンチップを軸筒本体から出没可能な出没機構を具備し、前記前軸の内壁に、軸心方向に沿って延びる突起を複数本、形成してなるノック式筆記具であって、前記突起の少なくとも一部が、前記把持部の内壁に位置し、前記突起の後端面が、前記前軸の後端から離間して形成するとともに、前記突起の後端面が、前軸の後端方向に向かって内径が拡径する円弧状及び／又は傾斜状としたことを特徴とする。
【００１０】
また、前記前軸の後端から前記突起の後端面までの距離が、前記ボールペンレフィルの先端からボールペンレフィルの重心までの距離よりも長いことを特徴とする。
【００１１】
また、前記突起の後端面が、軸心方向において、前記グリップの後端よりも前軸の先端側に位置するとともに、前記グリップを不透明としたことを特徴とする。
【００１２】
さらにまた、前記ボールペンチップが、先端に向かって縮径する先尖形であるとともに、前記突起の後端面が、前記ボールペンチップの縮径を開始する部分に、突起が当接した時に、チップ先端部及びボールが突起に非接触となる、曲率及び／又は傾斜角度であることを特徴とする。
【００１３】
さらにまた、前記突起間の間隙が、前記ボールペンチップの外径よりも小さいことを特徴とする。
【００１４】
本発明のグリップには、弾性変形可能な熱可塑性エラストマー等、筆記具のグリップとして一般的に知られている弾性体のなかから、軸筒と２色成形可能な材料を適宜選定して用いることができる。
【発明の効果】
【００１５】
本発明は、ボールペンレフィルの交換が容易で、２色成形によって軸筒の把持部にグリップを装着し易いノック式筆記具を簡単な構造で提供することができた。
【発明を実施するための最良の形態】
【００１６】
次に図面を参照しながら、本発明の筆記具の実施例を説明するが、本発明は以下の実施例に限定されるものではない。
【００１７】
実施例１
図１から図５に示す実施例１のノック式筆記具１は、前軸２と後軸４を螺着して軸筒本体を形成する。前軸２の把持部２ｃは、外径が小径に形成してあり、この把持部２ｃに、ショアー硬度がＨｓ（ＪＩＳ  Ａ）７０で、熱可塑性エラストマーからなる不透明のグリップ１３を前軸２と一体に２色成形にて融着してある。前軸２には、口先部材６を着脱自在に螺着してある。
【００１８】
また、軸筒本体２、３内に、インキ収容筒９の先端部に、チップ先端部を内側にかしめることによって、タングステンカーバイド製のボール１１を回転自在に抱持した、ステンレス鋼からなるボールペンチップ１０を、チップホルダー１２を介して装着し、内部に筆記具用インキ及びインキ追従体（図示せず）を直詰めしたボールペンレフィルをコイルスプリング１４によって前軸２の後端２ｂ方向に付勢して収納してあり、後軸４に装着した尾冠５内に具備した回転カム８による出没機構によって、ノック体７を押圧することで、ボールペンチップ１０を口先部材６の先端開口部６ａから出没可能としてある。
【００１９】
前軸２内には、軸筒の軸心Ｊ方向に沿って延びる突起３を周方向に８箇所形成してあり、この突起３の後端面３ｂは、前軸２の後端２ｂ方向に向かって内径が除々に拡径する、軸筒の軸心Ｊに対して傾斜する傾斜状としてあり、突起３の先端面３ａは、前軸２の先端２ａ方向に向かって内径が徐々に拡径する、軸筒の軸心Ｊに対して傾斜する傾斜状に形成してある。
【００２０】
前軸２と後軸４を取り外し、前軸２の後端２ａ側からボールペンレフィルを挿入すると、突起３の後端部の傾斜状の後端面３ｂによって、ボールペンチップ１０が軸心Ｊ側に移行するため、組立時やボールペンレフィルの交換時に、容易にボールペンレフィルを挿入することができる。
【００２１】
また、前軸２の先端部に螺着した口先部材６を取り外して前軸２の先端２ａ側からボールペンレフィルを挿入することもでき、突起３の先端部に形成した傾斜状の先端面３ａによって、ボールペンチップ１０が軸心Ｊ側に移行するため、容易にボールペンレフィルを挿入することもできる。
【００２２】
前軸２とグリップ１３を２色成形する時には、１次側にて前軸２を成形し、その後、２次側にてグリップ１３を成形するが、前軸２内に形成した軸心Ｊ方向に沿って延びる突起３によって、前軸２の剛性が高まるために、２次側の成形を安定して行うことができる。また、リブ状に突起３を複数本、形成してあるので、前軸２のヒケの発生を抑制することができる。
【００２３】
また、突起３の後端面３ｂを、軸心方向において、前軸２の後端２ｂよりも前軸２の先端２ａ側に離間して形成することによって、ボールペンレフィルを挿入したときに、突起３がなく内径の大きい前軸２の後端２ｂ側から挿入するので容易に挿入することができる。
【００２４】
尚、突起３の形成位置は、把持部の内壁に突起３の一部が位置し、且つ前軸２の後端から離間していれば特に限定されないが、２次側のグリップ１３の成形性を安定とするために、グリップの全長Ｂの１／２以上に亘って形成してあることが最も好ましい。また、前軸２の後端から突起３までの距離Ｃは、ボールペンチップ１０の先端からボールペンレフィルの重心位置Ｇまでの距離Ｅよりも長く、好ましくは、突起３と前軸２の後端２ｂとの対角線Ｄを、ボールペンチップ１０の先端からボールペンレフィルの重心位置Ｇまでの距離Ｅよりも長くすることで、仮に突起３にボールペンチップ１０が当接しても、重心Ｇは、前軸２の後端２ｂよりも前軸２の先端２ａ側に位置しているため、この状態で手を離しても、スムーズにボールペンレフィルを挿入することができるという効果を奏する。
【００２５】
突起３の形状や数は特に限定されるものではないが、先端に向かって縮径する砲弾のような先尖形のボールペンチップを用いる場合、突起３の後端部に形成した傾斜状の後端面３ｂの角度をα、ボールペンチップ１０の縮径部の傾斜角度をβとしたとき、α≧βを満足することにより、ボールペンレフィルの挿入時に、ボールペンチップ１０のチップ先端部１０ａやボール１１が突起３に当接せずに、軸心側に移行するため、チップ先端部１０ａの損傷及び突起３にインキが付着することを抑制するために最も好ましい。
【００２６】
本実施例では、便宜上、突起３の後端部に、前軸２の後端２ｂ方向に向かって内径が拡径する傾斜状の後端面３ｂを形成してあるが、円弧面（図示せず）であってもよい。円弧状で形成した場合は、軸心側に曲率を有する円弧やその反対側に曲率を有する円弧、その複合等が考えられるが、縮径を開始する部分に、突起が当接した時に、チップ先端部及びボールが突起に非接触となる曲率とすることが最も好ましい。
【００２７】
また、隣接する突起３間の間隙Ｌを、ボールペンチップ１０の外径Ｍよりも小さくする（Ｌ＜Ｍ）ことによって、ボールペンレフィルの挿入時に、突起３間にボールペンチップ１０が入り込むことがないため、挿入性を高めることができるので最も好ましい。
【００２８】
グリップ１３は、透明、半透明、不透明であってもよいが、突起３の後端面３ｂを、軸心方向において、グリップ１３の後端１３ａよりも前軸２の先端２ａ側に位置するとともに、不透明のグリップを用いることで、突起３にボール１１が当接して突起３にインキが付着しても不透明のグリップ１３によって内部が見えないために、外観上の見栄えの低下を抑制することができる。尚、グリップを不透明とする場合には、インキ残量を外部から視認するために、軸筒や口先部材を透明とすることが好ましい。
【００２９】
また、ボールペンチップ１０の構造も特に限定されるものではないが、ボールペンチップ１０内に、ボール１１を押圧する金属製のコイルスプリング１５を配設し、ボール１１とチップ先端部１０ａの内壁とで弁機構を具備することで、比重の高いボールペンチップ１０とコイルスプリング１４によって、ボールペンレフィルの重心Ｇがボール１１側に位置するために好ましい。
【産業上の利用可能性】
【００３０】
本発明のノック式筆記具は、インキの種類やノック式機構に限定されることなく、軸筒の把持部にグリップを装着してなるノック式筆記具として広く実施可能である。
【図面の簡単な説明】
【００３１】
【図１】実施例１のノック式筆記具を示す、斜視図である。
【図２】図１における前軸の拡大図である。
【図３】図１におけるＡ−Ａ断面図である。
【図４】実施例１のボールペンチップの一部省略した縦断面図である。
【図５】前軸にボールペンレフィルを挿入する状態を示す図である。
【符号の説明】
【００３２】
１  ノック式筆記具
２  前軸
２ａ  後端
２ｂ  先端
２ｃ  把持部
３  突起
３ａ  先端面
３ｂ  後端面
４  後軸
５  尾冠
６  口先部材
６ａ  先端開口部
７  ノック体
８  回転カム
９  インキ収容筒
１０  ボールペンチップ
１０ａ  チップ先端部
１１  ボール
１２  チップホルダー
１３  グリップ
１３ａ  後端
１４  コイルスプリング
【図１】
2009234181.tif 000003
【図２】
2009234181.tif 000004
【図３】
2009234181.tif 000005
【図４】
2009234181.tif 000006
【図５】
2009234181.tif 000007